【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
複数の副搬送波を用いて多次元コンステレーションを送信する方法であって、
搬送波を、前記多次元コンステレーションの次元数に基づく大きさである複数の副搬送波グループに分割することと、
データパケットを、副搬送波グループ識別子をそれぞれ含む複数のサブパケットに分割することと、
前記複数の副搬送波グループの内の第１グループを、前記複数のサブパケットの内の第１サブパケットに割り当てることと、
前記複数の副搬送波グループの内の第２グループを、前記複数のサブパケットの内の第２サブパケットに割り当てることと、
受信部に前記複数のサブパケットを送信することと、
前記第１サブパケットに割り当てられた、前記第１副搬送波グループの前記副搬送波グループ識別子が、前記複数のサブパケットの内の前記第１サブパケットの送信の品質を評価するために使用でき、前記複数のサブパケットの内の前記第１サブパケットの送信の品質に基づいて、前記第１副搬送波グループを使用し続けるか否かを判定することと、
前記複数のサブパケットの内の前記第２サブパケットの送信の品質に基づいて、前記第２副搬送波グループを使用し続けるか否か判定することとを具備する方法。
【請求項２】
前記受信部から前記第１サブパケットの送信の品質に対応する情報を受信することをさらに具備する請求項１記載の方法。
【請求項３】
前記第１サブパケットの送信の品質に対応する情報は、前記受信部によって前記第１サブパケットが無事に受信されたか否かを示す請求項２記載の方法。
【請求項４】
前記第１サブパケットに割り当てられた前記第１副搬送波グループの前記副搬送波グループ識別子は、前記受信部によって前記第１サブパケットが無事に受信されたか否かを示す、前記受信部から受信された情報に基づいて、前記第１サブパケットの送信の品質を評価するために使用できる請求項１記載の方法。
【請求項５】
前記多次元コンステレーションを生成するために最初のコンステレーションを回転することをさらに具備する請求項１記載の方法。
【請求項６】
前記最初のコンステレーションを回転することは、
第１回転行列の第１列が前記多次元コンステレーション内の軸の数に基づく第１行列要素を含み、且つ前記第１回転行列のその他の列が前記第１行列要素の並べ替えの第１セットを含む前記第１回転行列を構築することと、
第２回転行列の第１列が前記多次元コンステレーション内の軸の数に基づく前記第１行列要素を含み、且つ前記第２回転行列のその他の列が前記第１行列要素の並べ替えの第２セットを含む前記第２回転行列を構築することと、
前記第１及び第２回転行列に直交性制約を適用することと、
前記第１及び第２回転行列から１つの回転行列を選択することと、
前記１つの回転行列を用いて、前記最初のコンステレーションを回転することとを具備する請求項５記載の方法。
【請求項７】
前記多次元コンステレーションのための複数の誤り確率を算出することをさらに具備する請求項６記載の方法。
【請求項８】
前記複数の誤り確率に基づいて前記回転行列を選択することをさらに具備する請求項６記載の方法。
【請求項９】
前記多次元コンステレーション内の各軸は、副搬送波を表す請求項６記載の方法。
【請求項１０】
前記最初のコンステレーションを回転することは、
前記最初のコンステレーションにおけるコンステレーション点の数を決定することと、
前記最初のコンステレーションにおける次元の数を決定することと、
前記コンステレーション点のための前記次元に関連する複数の重み付け係数を決定することと、
前記コンステレーション点が複数の次元にまたがるように、前記重み付け係数を調節することと、
前記重み付け係数を用いて前記最初のコンステレーションを回転することとを具備する請求項５記載の方法。
【請求項１１】
前記最初のコンステレーションを回転することは、
前記最初のコンステレーションにおける複数のコンステレーション点を識別することと、
前記最初のコンステレーションにおける次元と次元毎の前記複数のコンステレーション点のコンステレーション点の数とを決定することを含む、前記最初のコンステレーションのための誤り確率を算出することと、
前記誤り確率に基づいて前記最初のコンステレーションを回転することとを具備する請求項５記載の方法。
【請求項１２】
複数の副搬送波を用いて多次元コンステレーションを送信するためのデバイスであって、
搬送波を、前記多次元コンステレーションの次元数に基づく大きさである複数の副搬送波グループに分割し、
データパケットを、副搬送波グループ識別子をそれぞれ含む複数のサブパケットに分割し、
前記複数の副搬送波グループの内の第１グループを、前記複数のサブパケットの内の第１サブパケットに割り当て、
前記複数の副搬送波グループの内の第２グループを、前記複数のサブパケットの内の第２サブパケットに割り当て、
受信部に前記複数のサブパケットを送信し、
前記第１サブパケットに割り当てられた、前記第１副搬送波グループの前記副搬送波グループ識別子が、前記複数のサブパケットの内の前記第１サブパケットの送信の品質を評価するために使用でき、前記複数のサブパケットの内の前記第１サブパケットの送信の品質に基づいて、前記第１副搬送波グループを使用し続けるか否かを判定し、
前記複数のサブパケットの内の前記第２サブパケットの送信の品質に基づいて、前記第２副搬送波グループを使用し続けるか否か判定するように構成されるプロセッサを具備するデバイス。
【請求項１３】
前記プロセッサは、さらに、前記受信部から前記第１サブパケットの送信の品質に対応する情報を受信するように構成される請求項１２記載のデバイス。
【請求項１４】
前記第１サブパケットの送信の品質に対応する情報は、前記受信部によって前記第１サブパケットが無事に受信されたか否かを示す請求項１３記載のデバイス。
【請求項１５】
前記第１サブパケットに割り当てられた前記第１副搬送波グループの前記副搬送波グループ識別子は、前記受信部によって前記第１サブパケットが無事に受信されたか否かを示す、前記受信部から受信された情報に基づいて、前記第１サブパケットの送信の品質を評価するために使用できる請求項１２記載のデバイス。
【請求項１６】
前記プロセッサは、さらに、前記多次元コンステレーションを生成するために最初のコンステレーションを回転するように構成される請求項１２記載のデバイス。
【請求項１７】
前記プロセッサは、
第１回転行列の第１列が前記多次元コンステレーション内の軸の数に基づく第１行列要素を含み、且つ前記第１回転行列のその他の列が前記第１行列要素の並べ替えの第１セットを含む前記第１回転行列を構築することと、
第２回転行列の第１列が前記多次元コンステレーション内の軸の数に基づく前記第１行列要素を含み、且つ前記第２回転行列のその他の列が前記第１行列要素の並べ替えの第２セットを含む前記第２回転行列を構築することと、
前記第１及び第２回転行列に直交性制約を適用することと、
前記第１及び第２回転行列から１つの回転行列を選択することと、
前記１つの回転行列を用いて、前記最初のコンステレーションを回転することとによって前記最初のコンステレーションを回転するように構成される請求項１２記載のデバイス。
【請求項１８】
複数の副搬送波を用いて多次元コンステレーションを送信するための装置であって、
送信器手段であって、
搬送波を、前記多次元コンステレーションの次元数に基づく大きさである複数の副搬送波グループに分割し、
データパケットを、副搬送波グループ識別子をそれぞれ含む複数のサブパケットに分割し、
前記複数の副搬送波グループの内の第１グループを、前記複数のサブパケットの内の第１サブパケットに割り当て、
前記複数の副搬送波グループの内の第２グループを、前記複数のサブパケットの内の第２サブパケットに割り当てるための送信器手段と、
受信器手段であって、
前記第１サブパケットに割り当てられた、前記第１副搬送波グループの前記副搬送波グループ識別子が、前記複数のサブパケットの内の前記第１サブパケットの送信の品質を評価するために使用でき、前記複数のサブパケットの内の前記第１サブパケットの送信の品質に基づいて、前記第１副搬送波グループを使用し続けるか否かを判定し、
前記複数のサブパケットの内の前記第２サブパケットの送信の品質に基づいて、前記第２副搬送波グループを使用し続けるか否か判定するための受信器手段とを具備する装置。
【請求項１９】
前記送信器手段は、前記第１サブパケットの送信の品質に対応する情報を受信するように構成される請求項１８記載の装置。
【請求項２０】
前記第１サブパケットの送信の品質に対応する情報は、前記受信器手段によって前記第１サブパケットが無事に受信されたか否かを示す請求項１９記載の装置。
【請求項２１】
前記第１サブパケットに割り当てられた前記第１副搬送波グループの前記副搬送波グループ識別子は、前記受信器手段によって前記第１サブパケットが無事に受信されたか否かを示す、前記受信器手段から受信された情報に基づいて、前記第１サブパケットの送信の品質を評価するために使用できる請求項１８記載の装置。
【請求項２２】
前記受信器手段は、前記多次元コンステレーションを生成するために最初のコンステレーションを回転するように構成される請求項１８記載の装置。
【請求項２３】
命令を含むコンピュータ読み取り可能な記憶媒体であって、プロセッサによって実行されるとき、前記命令は前記プロセッサに、
搬送波を、前記多次元コンステレーションの次元数に基づく大きさである複数の副搬送波グループに分割させ、
データパケットを、副搬送波グループ識別子をそれぞれ含む複数のサブパケットに分割させ、
前記複数の副搬送波グループの内の第１グループを、前記複数のサブパケットの内の第１サブパケットに割り当てさせ、
前記複数の副搬送波グループの内の第２グループを、前記複数のサブパケットの内の第２サブパケットに割り当てさせ、
受信部に前記複数のサブパケットを送信させ、
前記第１サブパケットに割り当てられた、前記第１副搬送波グループの前記副搬送波グループ識別子が、前記複数のサブパケットの内の前記第１サブパケットの送信の品質を評価するために使用でき、前記複数のサブパケットの内の前記第１サブパケットの送信の品質に基づいて、前記第１副搬送波グループを使用し続けるか否かを判定させ、
前記複数のサブパケットの内の前記第２サブパケットの送信の品質に基づいて、前記第２副搬送波グループを使用し続けるか否か判定させるコンピュータ読み取り可能な記憶媒体。
【請求項２４】
前記プロセッサによって実行されるとき、前記プロセッサに、前記多次元コンステレーションを生成するために最初のコンステレーションを回転させる命令をさらに含む請求項２３記載のコンピュータ読み取り可能な記憶媒体。
【請求項２５】
データパケットを、各々が副搬送波グループ識別子を含む複数のサブパケットに分割するための手段と、
複数の副搬送波グループ内の第１副搬送波グループを、搬送波に関連付けられた前記複数のサブパケットの内の第１サブパケットに割り当て、前記複数の副搬送波グループの内の第２副搬送波グループを、前記複数のサブパケットの内の第２サブパケットに割り当てるための手段と、
前記第１サブパケットに割り当てられた、前記第１副搬送波グループの副搬送波グループ識別子が、前記複数のサブパケットの内の前記第１サブパケットの送信の品質を評価するために使用でき、前記複数のサブパケットの内の前記第１サブパケットの送信の品質に基づいて、前記第１副搬送波グループを使用し続けるか否かを判定するための手段と、
前記複数のサブパケットの内の前記第２サブパケットの送信の品質に基づいて、前記第２副搬送波グループを使用し続けるか否かを判定するための手段とを具備する装置。
【請求項２６】
前記分割するための手段、前記第１副搬送波グループを割り当て、前記第２副搬送波グループを割り当てるための手段、前記第１副搬送波グループを使用し続けるか否かを判定するための手段、及び前記第２副搬送波グループを使用し続けるか否かを判定するための手段は、処理デバイス内に設けられる請求項２５記載の装置。
【請求項２７】
前記複数の副搬送波グループは、多次元コンステレーション内の次元数に基づく大きさである請求項２５記載の装置。
【請求項２８】
前記第２サブパケットは、第２副搬送波グループ識別子を含み、前記第２サブパケットに関連する前記第２副搬送波グループ識別子は、前記送信の品質を評価するために使用できる請求項２５記載の装置。
【請求項２９】
前記分割するための手段、前記第１副搬送波グループを割り当て、前記第２副搬送波グループを割り当てるための手段、前記第１副搬送波グループを使用し続けるか否かを判定するための手段、及び前記第２副搬送波グループを使用し続けるか否かを判定するための手段は、送信器内に含まれる請求項２５記載の装置。
【請求項３０】
インタリーブされたデータを形成するために第１副搬送波グループ上で前記第１サブパケットをインタリーブするための手段と、
前記インタリーブされたデータを前記第１多次元コンステレーション上に置くための手段とをさらに具備する請求項２５記載の装置。
【請求項３１】
前記第１多次元コンステレーションは、
第２多次元コンステレーションと、
第１回転行列の第１列が前記第２多次元コンステレーション内の軸の数に基づく第１行列要素を含み、且つ前記第１回転行列のその他の列が前記第１行列要素の並べ替えの第１セットを含む前記第１回転行列と、
第２回転行列の第１列が前記第２多次元コンステレーション内の軸の数に基づく前記第１行列要素を含み、且つ前記第２回転行列のその他の列が前記第１行列要素の並べ替えの第２セットを含む前記第２回転行列と、
前記第１回転行列と前記第２回転行列とに適用される直交性制約と、
前記第１回転行列と前記第２回転行列とから選択される、最適化する回転行列と、
前記最適化する回転行列を用いる前記第２多次元コンステレーションの回転と、に基づく請求項３０記載の装置。
【請求項３２】
前記第１回転行列は、  
【数１】
2012147450.tif 000001
の形式であり、
前記第２回転行列は、
【数２】
2012147450.tif 000002
の形式であり、
前記直交性制約は、ａｄ＝ｂｃ，ａ＝ｂ，及びａ２＋ｂ２＋ｃ２＋ｄ２＝１を含むグループからの１以上の直交性制約を含む請求項３１記載の装置。
【手続補正２】
【補正対象書類名】図面
【補正対象項目名】図５
【補正方法】変更
【補正の内容】
【図５】
2012147450.tif 000003